(57)【要約】【課題】  小型かつ高解像力で、全ズーム領域において高い光学性能を有するズームレンズ及びそれを有する撮像装置を得ること。【解決手段】  物体側より像側へ順に、正の屈折力の第１レンズ群、負の屈折力の第２レンズ群、正の屈折力の第３レンズ群、開口絞り、正の屈折力の第４レンズ群、負の屈折力の第５レンズ群を有し、ズーミングに際して隣り合うレンズ群の間隔が変化するズームレンズであって、前記第３レンズ群は、少なくとも１枚の正レンズを有し、さらに、該正レンズの像側に少なくとも１枚の負レンズを有する。該ズームレンズにおいて、前記第２レンズ群の焦点距離ｆ２、前記第５レンズ群の焦点距離ｆ５、前記開口絞りの物体側に配置された各レンズの広角端における合成の焦点距離ｆａ、前記開口絞りの像側に配置された各レンズの広角端における合成の焦点距離ｆｂを各々適切に設定する。【選択図】  図１
2015145913.tif 000002
【特許請求の範囲】
【請求項１】
物体側より像側へ順に、正の屈折力の第１レンズ群、負の屈折力の第２レンズ群、正の屈折力の第３レンズ群、開口絞り、正の屈折力の第４レンズ群、負の屈折力の第５レンズ群を有し、ズーミングに際して隣り合うレンズ群の間隔が変化するズームレンズであって、
前記第３レンズ群は、少なくとも１枚の正レンズを有し、さらに、該正レンズの像側に少なくとも１枚の負レンズを有し、
前記第２レンズ群の焦点距離をｆ２、前記第５レンズ群の焦点距離をｆ５、前記開口絞りの物体側に配置された各レンズの広角端における合成の焦点距離をｆａ、前記開口絞りの像側に配置された各レンズの広角端における合成の焦点距離をｆｂとしたとき、
−４．００＜ｆ２／ｆａ＜−０．２６
−５．００＜ｆ５／ｆｂ＜−０．２７
なる条件式を満足することを特徴とするズームレンズ。
【請求項２】
広角端から望遠端へのズーミングにおける前記第３レンズ群の移動量をＭ３、前記第３レンズ群の焦点距離をｆ３としたとき、
０．０５＜Ｍ３／ｆ３＜２．００
なる条件式を満足することを特徴とする請求項１に記載のズームレンズ。
【請求項３】
前記第１レンズ群の焦点距離をｆ１としたとき、
３．００＜ｆ１／｜ｆ２｜＜６．００
なる条件式を満足することを特徴とする請求項１または２に記載のズームレンズ。
【請求項４】
前記第１レンズ群の中で最も物体側に配置されたレンズの物体側のレンズ面と像面との、広角端における光軸上の間隔をＴＤｗ、広角端における全系の焦点距離をｆｗとしたとき、
２．００＜ＴＤｗ／ｆｗ＜１１．００
なる条件式を満足することを特徴とする請求項１乃至３のいずれか１項に記載のズームレンズ。
【請求項５】
請求項１乃至４のいずれか１項に記載のズームレンズにおいて
０．０５＜ｆａ／ｆｂ＜３．００
なる条件式を満足することを特徴とするズームレンズ。
【請求項６】
前記第４レンズ群の焦点距離をｆ４としたとき、
−４．００＜ｆ４／ｆ５＜−０．０５
なる条件式を満足することを特徴とする請求項１乃至５のいずれか１項に記載のズームレンズ。
【請求項７】
前記第５レンズ群の像側に、正の屈折力を有する第６レンズ群が配置されていることを特徴とする請求項１乃至６のいずれか１項に記載のズームレンズ。
【請求項８】
固体撮像素子に像を形成することを特徴とする請求項１乃至７のいずれか１項に記載のズームレンズ。
【請求項９】
請求項１乃至８のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、レンズ全長が短く、大口径であることが求められている。
【０００３】
特許文献１は、物体側より像側へ順に、正の屈折力の第１レンズ群、負の屈折力の第２レンズ群、正の屈折力の第３レンズ群、正の屈折力の第４レンズ群、負の屈折力の第５レンズ群を有するズ−ムレンズを開示している。
【０００４】
特許文献１のズームレンズは、第３レンズ群と第４レンズ群の間に開口絞りを有している。
【先行技術文献】
【特許文献】
【０００５】
【特許文献１】特開２０１２−４７８１４号公報
【発明の概要】
【発明が解決しようとする課題】
【０００６】
一般に、高解像力の撮影光学系を得るためには、撮影光学系において開口絞りの物体側に配置されたレンズ要素の構成及び開口絞りの像側に配置されたレンズ要素の構成を適切に設定することが重要である。これらの構成が適切でないと、前玉有効径や絞り径の増大を抑制した、大口径のズームレンズを得ることが困難になる。
【０００７】
特許文献１のズームレンズは、第２レンズ群の屈折力が強すぎるため、全ズーム領域において像面湾曲の発生を抑制することが難しい。
【０００８】
本発明は、小型かつ大口径で、全ズーム領域において高い光学性能を有するズームレンズ及びそれを有する撮像装置を提供することを目的とする。
【課題を解決するための手段】
【０００９】
本発明のズームレンズは、物体側より像側へ順に、正の屈折力の第１レンズ群、負の屈折力の第２レンズ群、正の屈折力の第３レンズ群、開口絞り、正の屈折力の第４レンズ群、負の屈折力の第５レンズ群を有し、ズーミングに際して隣り合うレンズ群の間隔が変化するズームレンズであって、前記第３レンズ群は、少なくとも１枚の正レンズを有し、さらに該正レンズの像側に少なくとも１枚の負レンズを有し、前記第２レンズ群の焦点距離をｆ２、前記第５レンズ群の焦点距離をｆ５、前記開口絞りの物体側に配置された各レンズの広角端における合成の焦点距離をｆａ、前記開口絞りの像側に配置された各レンズの広角端における合成の焦点距離をｆｂとしたとき、
−４．００＜ｆ２／ｆａ＜−０．２６
−５．００＜ｆ５／ｆｂ＜−０．２７
なる条件式を満足することを特徴としている。
【発明の効果】
【００１０】
本発明によれば、小型かつ大口径で、全ズーム領域において高い光学性能を有するズームレンズが得られる。
【図面の簡単な説明】
【００１１】
【図１】本発明の実施例１のズームレンズの広角端におけるレンズ断面図
【図２】（Ａ）、（Ｂ）、（Ｃ）本発明の実施例１のズームレンズの広角端、中間のズーム位置、望遠端における収差図
【図３】本発明の実施例２のズームレンズの広角端におけるレンズ断面図
【図４】（Ａ）、（Ｂ）、（Ｃ）本発明の実施例２のズームレンズの広角端、中間のズーム位置、望遠端における収差図
【図５】本発明の実施例３のズームレンズの広角端におけるレンズ断面図
【図６】（Ａ）、（Ｂ）、（Ｃ）本発明の実施例３のズームレンズの広角端、中間のズーム位置、望遠端における収差図
【図７】本発明の実施例４のズームレンズの広角端におけるレンズ断面図
【図８】（Ａ）、（Ｂ）、（Ｃ）本発明の実施例４のズームレンズの広角端、中間のズーム位置、望遠端における収差図
【図９】本発明の実施例５のズームレンズの広角端におけるレンズ断面図
【図１０】（Ａ）、（Ｂ）、（Ｃ）本発明の実施例５のズームレンズの広角端、中間のズーム位置、望遠端における収差図
【図１１】本発明の撮像装置の要部概略図
【発明を実施するための形態】
【００１２】
以下、本発明のズームレンズ及びそれを有する撮像装置について添付の図面に基づいて詳細に説明する。本発明のズームレンズは、物体側より像側へ順に、正の屈折力の第１レンズ群、負の屈折力の第２レンズ群、正の屈折力の第３レンズ群、開口絞り、正の屈折力の第４レンズ群、負の屈折力の第５レンズ群を有する。ここで、レンズ群は、１枚以上のレンズを有していればよく、必ずしも複数枚のレンズを有していなくてもよい。また、ズーミングに際して、隣り合うレンズ群の間隔が変化する。
【００１３】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比４．７３、開口比２．０６〜４．２０程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４．８９、開口比２．０６〜４．０２程度のズームレンズである。
【００１４】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４．８７、開口比２．０６〜４．０２程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比４．８６、開口比２．８０〜４．０２程度のズームレンズである。
【００１５】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４．７２、開口比２．０６〜４．０２程度のズームレンズである。
【００１６】
図１１は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮像レンズ系である。レンズ断面図において左方が物体側（前方）で、右方が像側（後方）である。またレンズ断面図において、ｉを物体側から像側へのレンズ群の順番とするとＢｉは第ｉレンズ群を示す。
【００１７】
実施例１乃至３、５のズームレンズは、６つのレンズ群から成るポジティブリード型の６群ズームレンズである。物体側より像側へ順に、正の屈折力の第１レンズ群Ｂ１、負の屈折力の第２レンズ群Ｂ２、正の屈折力の第３レンズ群Ｂ３、正の屈折力の第４レンズ群Ｂ４、負の屈折力の第５レンズ群Ｂ５、正の屈折力の第６レンズ群Ｂ６から成る。実施例４のズームレンズは、５つのレンズ群から成るポジティブリード型の５群ズームレンズである。物体側より像側へ順に、正の屈折力の第１レンズ群Ｂ１、負の屈折力の第２レンズ群Ｂ２、正の屈折力の第３レンズ群Ｂ３、正の屈折力の第４レンズ群Ｂ４、負の屈折力の第５レンズ群Ｂ５から成る。
【００１８】
各実施例において、ＳＰは開口絞りであり、第３レンズ群Ｂ３と第４レンズ群Ｂ４の間に位置している。これにより、第４レンズ群Ｂ４の像側に開口絞りが配置される場合と比較して、入射瞳位置を物体側に移動させることができるため、前玉の有効径を増大させることなく広角化を実現することができる。また、第３レンズ群Ｂ３の物体側に開口絞りが配置されると、開口絞りＳＰの径が増大するため好ましくない。
【００１９】
また、各実施例において、第３レンズ群Ｂ３には少なくとも１枚の正レンズが含まれ、該正レンズの像側に少なくとも１枚の負レンズが含まれる。第３レンズ群Ｂ３に負レンズが含まれることにより、第３レンズ群Ｂ３を正レンズのみから構成する場合と比較して、第３レンズ群Ｂ３に含まれる正レンズの屈折力を強くすることができる。これにより、第３レンズ群Ｂ３の主点位置を物体側に移動させることができるため、大口径化を実現しつつ、広角端における前玉径の増大を抑制することができる。
【００２０】
ＧＢは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２１】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面、ΔＭはメリディオナル像面である。歪曲収差はｄ線について示している。倍率色収差図ではｇ線における倍率色収差を示している。ωは撮像半画角である。
【００２２】
また、各実施例では、広角端から望遠端へのズーミングに際して各レンズ群が移動する。レンズ断面図中の矢印は、広角端から望遠端へのズーミングに際しての各レンズ群の移動軌跡を示している。
【００２３】
具体的には、実施例１乃至３、５のズームレンズでは、広角端から望遠端へのズーミングに際して、第１レンズ群Ｂ１及び第２レンズ群Ｂ２は、像側へ凸状の軌跡を描くように移動する。第３レンズ群Ｂ３から第６レンズ群Ｂ６は、広角端から望遠端へのズーミングに際して物体側に移動する。
【００２４】
実施例４のズームレンズでは、広角端から望遠端へのズーミングに際して、第１レンズ群Ｂ１は、像側へ凸状の軌跡を描くように移動する。第２レンズ群Ｂ２は、広角端から望遠端へのズーミングに際して像側に移動する。第３レンズ群Ｂ３から第５レンズ群Ｂ５は、広角端から望遠端へのズーミングに際して物体側に移動する。
【００２５】
また、各実施例のズームレンズでは、第５レンズ群Ｂ５をフォーカスレンズ群としている。望遠端において無限遠物体から近距離物体へフォーカスを行う場合には、レンズ断面図の矢印５ｃに示すように、第５レンズ群Ｂ５を像側に移動させる。レンズ断面図中の実線５ａと点線５ｂは各々、無限遠物体と近距離物体にフォーカスしているときの、広角端から望遠端へのズーミングに伴う像面変動を補正するための移動軌跡を示している。
【００２６】
各実施例において、屈折力の比較的強い第５レンズ群Ｂ５を移動させることによりフォーカスを行うことで、無限遠物体から近距離物体へフォーカスを行う場合のフォーカレンズ群の移動量を小さくすることができる。これにより、レンズ全長を短縮することができる。
【００２７】
各実施例において、第２レンズ群Ｂ２の焦点距離をｆ２、第５レンズ群Ｂ５の焦点距離をｆ５とする。また、開口絞りＳＰの物体側に配置された各レンズの広角端における合成の焦点距離をｆａ、開口絞りＳＰの像側に配置された各レンズの広角端における合成の焦点距離をｆｂとするとき、
４．００＜ｆ２／ｆａ＜−０．２６…（１）
５．００＜ｆ５／ｆｂ＜−０．２７…（２）
なる条件式を満足している。
【００２８】
条件式（１）の上限値を超えて、開口絞りＳＰの物体側に配置された各レンズの広角端における合成の焦点距離ｆａが長くなると、大口径化を実現するために入射瞳位置が像側に移動する。その結果、前玉有効径が増大するため好ましくない。
【００２９】
条件式（１）の下限値を超えて、開口絞りＳＰの物体側に配置された各レンズの広角端における合成の焦点距離ｆａが短くなると、入射瞳位置が物体側に移動する。その結果、大口径化を実現するために絞り径が増大するため好ましくない。
【００３０】
条件式（２）の上限値を超えると、開口絞りＳＰの像側に配置された各レンズの広角端における合成の焦点距離ｆｂが長くなる。その結果、広角端におけるレンズ全長が増大するため好ましくない。
【００３１】
条件式（２）の下限値を超えると、開口絞りＳＰの像側に配置された各レンズの広角端における合成の焦点距離ｆｂが短くなる。その結果、シェーディングが多く発生し、画質の低下を招くため好ましくない。
【００３２】
各実施例では上記の如く、条件式（１）及び（２）を満足するように各要素を適切に設定している。これにより小型かつ大口径で、全ズーム領域において高い光学性能を有するズームレンズを得ることができる。
【００３３】
なお、各実施例において、好ましくは条件式（１）及び（２）の数値範囲を次のようにするのがよい。
−２．００＜ｆ２／ｆａ＜−０．２９…（１ａ）
−３．００＜ｆ５／ｆｂ＜−０．５０…（２ａ）
【００３４】
また、更に好ましくは条件式（１）及び（２）の数値範囲を次の如く設定するのが良い。
−０．９６＜ｆ２／ｆａ＜−０．３０…（１ｂ）
−２．００＜ｆ５／ｆｂ＜−０．６０…（２ｂ）
【００３５】
さらに、各実施例において、次の条件式のうち１つ以上を満足することがより好ましい。ここで、広角端から望遠端へのズーミングにおける第３レンズ群Ｂ３の移動量をＭ３、第１レンズ群Ｂ１の焦点距離をｆ１、第３レンズ群Ｂ３の焦点距離をｆ３、第４レンズ群Ｂ４の焦点距離をｆ４とする。ここで、広角端から望遠端へのズーミングにおけるレンズ群の移動量とは、広角端と望遠端におけるレンズ群の光軸上での位置の差であり、移動量の符号は、広角端に比べて望遠端で物体側に位置するときを正、像側に位置するときを負とする。また、第１レンズ群Ｂ１の中で最も物体側に配置されたレンズの物体側のレンズ面と像面との、広角端における光軸上の間隔をＴＤｗ、広角端における全系の焦点距離をｆｗとしたとき、
０．０５＜Ｍ３／ｆ３＜２．００    …（３）
３．００＜ｆ１／｜ｆ２｜＜６．００…（４）
２．００＜ＴＤｗ／ｆｗ＜１１．００…（５）
０．０５＜ｆａ／ｆｂ＜３．００    …（６）
−４．００＜ｆ４／ｆ５＜−０．０５…（７）
なる条件式のうち１つ以上を満足するのがよい。
【００３６】
条件式（３）の上限値を超えて、広角端から望遠端へのズーミングにおける第３レンズ群Ｂ３の移動量Ｍ３が大きくなると、レンズ全長が増大するため好ましくない。
【００３７】
条件式（３）の下限値を超えて、広角端から望遠端へのズーミングにおける第３レンズ群Ｂ３の移動量Ｍ３が小さくなると、第３レンズ群Ｂ３の変倍負担が小さくなり、高ズーム比のズームレンズを得ることが困難になるため、好ましくない。
【００３８】
条件式（４）の上限値を超えて、第２レンズ群Ｂ２の焦点距離が短くなると、第２レンズ群Ｂ２の屈折力が強くなり、全ズーム領域において倍率色収差や像面湾曲の発生を抑制することが困難になるため、好ましくない。条件式（４）の下限値を超えて、第２レンズ群Ｂ２の焦点距離が長くなると、第２レンズ群Ｂ２の屈折力が弱くなり、前玉有効径の増大を招くため好ましくない。
【００３９】
条件式（５）の上限値を超えると、広角端におけるレンズ全長が長くなるため好ましくない。条件式（５）の下限値を超えて広角端におけるレンズ全長が短くなると、各レンズ群の屈折力を強くする必要が生じ、全ズーム領域において軸上色収差やコマ収差の発生を抑制することが困難になるため、好ましくない。
【００４０】
条件式（６）の上限値を超えて、開口絞りＳＰの物体側に配置されたレンズの広角端における合成の焦点距離ｆａが長くなると、広角端における入射瞳位置が像側に移動し、広角端における前玉径が増大するため好ましくない。
【００４１】
条件式（６）の下限値を超えて、開口絞りＳＰの物体側に配置されたレンズの広角端における合成の焦点距離ｆａが短くなると、広角端における入射瞳位置が物体側に移動し、大口径化を実現するために、絞り径が増大するため好ましくない。
【００４２】
条件式（７）の上限値を超えて、第４レンズ群Ｂ４の焦点距離が短くなると、第４レンズ群Ｂ４の屈折力が強くなり過ぎ、広角端におけるコマ収差や球面収差の発生を抑制することが困難になるため、好ましくない。
【００４３】
条件式（７）の下限値を超えて、第４レンズ群Ｂ４の焦点距離が長くなると、第４レンズ群Ｂ４の屈折力が弱くなり過ぎ、広角端におけるレンズ全長が増大するため、好ましくない。
【００４４】
また、好ましくは条件式（３）〜（７）の数値範囲を次の如く設定すると、各条件式がもたらす効果を最大限に得ることができる。
０．３０＜Ｍ３／ｆ３＜１．５０    …（３ａ）
３．５０＜ｆ１／｜ｆ２｜＜５．５０…（４ａ）
４．００＜ＴＤｗ／ｆｗ＜９．００  …（５ａ）
０．１０＜ｆａ／ｆｂ＜２．５０    …（６ａ）
−２．００＜ｆ４／ｆ５＜−０．２０…（７ａ）
【００４５】
また、更に好ましくは条件式（３）〜（７）の数値範囲を次の如く設定するのが良い。
０．６０＜Ｍ３／ｆ３＜１．１０    …（３ｂ）
４．１０＜ｆ１／｜ｆ２｜＜５．００…（４ｂ）
６．００＜ＴＤｗ／ｆｗ＜７．００  …（５ｂ）
０．１５＜ｆａ／ｆｂ＜１．２５    …（６ｂ）
−１．１６＜ｆ４／ｆ５＜−０．４５…（７ｂ）
【００４６】
次に各レンズ群の構成について説明する。各実施例において、第１レンズ群Ｂ１は、物体側より像側へ順に、負レンズと正レンズの接合レンズから成る。第２レンズ群Ｂ２は、物体側より像側へ順に、負レンズ、負レンズ、正レンズから成る。これにより、広角化を実現しつつ、前玉有効径の小型化を図ることができる。
【００４７】
各実施例において、第３レンズ群Ｂ３は、物体側より像側へ順に、正レンズ、正レンズ、負レンズから成る。これにより、第３レンズ群Ｂ３の変倍作用を強めつつ、全ズーム領域で球面収差やコマ収差、軸上色収差を良好に補正することができる。
【００４８】
また、各実施例において、第４レンズ群Ｂ４は、物体側より像側へ順に、正レンズ、負レンズ、正レンズから成る。第５レンズ群Ｂ５は、物体側より像側へ順に、正レンズ、負レンズから成る。実施例１乃至３、５では、第６レンズ群Ｂ６は、正の屈折力を有する単レンズから成る。
【００４９】
次に、本発明の実施例１〜５にそれぞれ対応する数値実施例１〜５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００５０】
またｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８
で表示される。但しＲは近軸曲率半径である。また「ｅ−Ｚ」の表示は「１０−Ｚ」を意味する。数値実施例において最も像側の２つの面は、フィルター、フェースプレート等の光学ブロックの面である。
【００５１】
各実施例において、バックフォーカス（ＢＦ）は、レンズ系の最も像側の面から近軸像面までの距離を、空気換算長により表したものである。また、各数値実施例における上述した条件式との対応を表１に示す。
【００５２】
なお、広角端における有効像円径（イメージサークルの直径）を、望遠端における有効像円径に比べて小さくすることができる。これは、画像処理によって画像を引き伸ばすことで、広角側において発生しやすい樽型の歪曲収差を補正することができるためである。
【００５３】
［数値実施例１］
単位 mm
面データ
面番号       r        d      nd         νd
1         34.573    1.10   1.92286    18.9
2         27.262    5.00   1.77250    49.6
3        212.415  (可変)
4        688.425    0.75   1.91082    35.3
5         12.641    6.11
6        -31.800    0.62   1.71300    53.9
7         43.958    0.06
8         30.719    2.26   1.95906    17.5
9      -2714.007  (可変)
10          ∞      -0.10
11*        17.866    3.40   1.76802    49.2
12*      -197.635    0.34
13         12.234    3.15   1.48749    70.2
14         22.683    0.55   2.00069    25.5
15         11.111    4.71
16(絞り)    ∞     (可変)
17*        15.821    2.03   1.69350    53.2
18*        68.004    0.80
19        -65.000    0.65   1.80518    25.4
20         56.230    3.05   1.48749    70.2
21        -17.207  (可変)
22         62.045    1.41   1.83400    37.2
23        248.502    2.00
24*       -18.164    0.70   1.85135    40.1
25*        61.856  (可変)
26         31.261    3.80   1.91082    35.3
27       -236.639  (可変)
28          ∞       1.00   1.51633    64.1
29          ∞       3.43
像面        ∞
非球面データ
第11面
K = 2.73940e-001  A 4=-3.21257e-005  A 6=-2.27136e-008
第12面
K = 0.00000e+000  A 4=-8.68566e-006  A 6= 8.42296e-008
第17面
K = 0.00000e+000  A 4=-3.81853e-006  A 6= 5.53546e-007  A 8= 8.74650e-009
第18面
K = 0.00000e+000  A 4= 5.86535e-005  A 6= 7.68295e-007  A 8= 1.04881e-008
第24面
K = 0.00000e+000  A 4= 4.42459e-005  A 6= 1.40797e-006  A 8=-1.95999e-008
第25面
K = 0.00000e+000  A 4= 5.16516e-005  A 6= 7.56329e-007  A 8=-1.18781e-008
各種データ
ズーム比      4.73
広角     中間     望遠
焦点距離      12.85    22.91    60.77
Fナンバー      2.06     3.50     4.20
半画角        35.50    24.54    10.49
像高           9.17    10.46    11.25
レンズ全長    81.74    81.96    96.68
BF             7.33    12.35    12.38
d 3            1.05     6.35    17.19
d 9           22.76    10.72     0.42
d16            2.03     2.08     1.30
d21            1.92     3.76     9.74
d25            3.93     3.97    12.94
d27            3.25     8.27     8.29
ズームレンズ群データ
群  始面    焦点距離
1    1      55.87
2    4     -12.51
3   11      27.86
4   17      23.57
5   22     -20.47
6   26      30.52
【００５４】
［数値実施例２］
単位 mm
面データ
面番号       r        d      nd         νd
1         44.365    1.10   1.92286    18.9
2         34.315    4.75   1.77250    49.6
3        457.662  (可変)
4       1719.360    0.75   1.91082    35.3
5         13.856    6.56
6        -29.218    0.62   1.71300    53.9
7         83.172    0.06
8         39.750    2.39   1.95906    17.5
9       -171.518  (可変)
10          ∞      -0.10
11*        18.439    3.47   1.76802    49.2
12*      -339.588    0.10
13         11.794    3.15   1.48749    70.2
14         25.029    0.55   2.00069    25.5
15         12.538    4.37
16(絞り)    ∞     (可変)
17*        25.318    1.80   1.69350    53.2
18*      -390.423    1.14
19        -17.856    0.65   1.80518    25.4
20       -295.010    3.05   1.48749    70.2
21        -15.006  (可変)
22       1094.585    2.66   1.93111    22.6
23        -44.649    1.83
24*       -13.136    0.70   1.85135    40.1
25*       -27.510  (可変)
26         40.000    3.00   1.52963    47.2
27        200.000  (可変)
28          ∞       1.03   1.51633    64.1
29          ∞       3.66
像面        ∞
非球面データ
第11面
K = 4.66436e-001  A 4=-1.27854e-005  A 6= 2.55056e-008
第12面
K = 0.00000e+000  A 4= 1.21639e-005  A 6= 5.09743e-008
第17面
K = 0.00000e+000  A 4= 1.58326e-005  A 6= 4.66063e-007  A 8= 3.17918e-009
第18面
K = 0.00000e+000  A 4= 5.86535e-005  A 6= 7.68295e-007  A 8= 1.04881e-008
第24面
K = 0.00000e+000  A 4= 3.80735e-005  A 6= 1.93897e-006  A 8=-1.27122e-008
第25面
K = 0.00000e+000  A 4= 1.25889e-005  A 6= 1.26020e-006  A 8=-9.71616e-009
各種データ
ズーム比      4.89
広角     中間     望遠
焦点距離      12.84    22.91    62.76
Fナンバー      2.06     3.50     4.02
半画角        35.53    24.55    10.16
像高           9.17    10.46    11.25
レンズ全長    86.07    86.39   104.82
BF             7.03    12.90    18.88
d 3            0.84     6.97    21.03
d 9           26.90    13.58     1.02
d16            1.87     1.75     1.31
d21            1.79     3.32    11.72
d25            4.68     4.90     7.88
d27            2.70     8.56    14.55
ズームレンズ群データ
群  始面    焦点距離
1    1      67.21
2    4     -14.63
3   11      25.22
4   17      51.88
5   22     -96.81
6   26      93.80
【００５５】
［数値実施例３］
単位 mm
面データ
面番号       r        d      nd         νd
1         43.599    1.10   1.92286    18.9
2         35.896    3.95   1.77250    49.6
3        379.857  (可変)
4       1069.762    0.75   1.91082    35.3
5         14.173    7.08
6        -28.310    0.62   1.71300    53.9
7        157.582    0.06
8         43.501    2.42   1.95906    17.5
9       -171.015  (可変)
10          ∞      -0.10
12*     -1466.655    0.10
13         10.679    3.14   1.48749    70.2
14         22.180    0.55   2.00069    25.5
15         12.295    4.41
16(絞り)    ∞     (可変)
17*        23.066    1.59   1.69350    53.2
18*       122.895    1.25
19        -16.090    0.65   1.80735    20.7
20       1006.124    3.05   1.48749    70.2
21        -15.541  (可変)
22        564.056    3.00   1.95906    17.5
23        -39.567    1.74
24*       -13.998    0.70   1.85135    40.1
25*       -32.209  (可変)
26         40.000    2.50   1.56689    37.8
27        200.000  (可変)
28          ∞       1.03   1.51633    64.1
29          ∞       3.99
像面        ∞
非球面データ
第11面
K = 7.50401e-001  A 4=-8.39257e-006  A 6= 2.97865e-008
第12面
K = 0.00000e+000  A 4= 1.71600e-005  A 6= 6.09381e-008
第17面
K = 0.00000e+000  A 4=-1.43003e-005  A 6= 2.79794e-007  A 8=-1.08486e-008
第18面
K = 0.00000e+000  A 4= 5.86535e-005  A 6= 7.68295e-007  A 8= 1.04881e-008
第24面
K = 0.00000e+000  A 4= 5.01861e-005  A 6= 1.98847e-006  A 8=-1.33183e-008
第25面
K = 0.00000e+000  A 4= 2.77119e-005  A 6= 1.31249e-006  A 8=-1.02228e-008
各種データ
ズーム比      4.87
広角     中間     望遠
焦点距離      12.86    22.92    62.68
Fナンバー      2.06     3.50     4.02
半画角        35.48    24.54    10.17
像高           9.17    10.46    11.25
レンズ全長    86.23    85.25   103.52
BF             7.16    13.83    19.78
d 3            0.87     6.96    20.74
d 9           28.77    14.60     1.54
d16            1.30     1.32     1.40
d21            1.77     2.21     9.38
d25            3.98     3.96     8.32
d27            2.49     9.16    15.11
ズームレンズ群データ
群  始面    焦点距離
1    1      66.24
2    4     -15.42
3   11      23.17
4   17     120.38
5   22    -152.57
6   26      87.70
【００５６】
［数値実施例４］
単位 mm
面データ
面番号       r        d      nd         νd
1         45.910    1.10   1.92286    18.9
2         33.294    5.27   1.77886    45.3
3        526.873  (可変)
4      -1350.514    0.75   1.91082    35.3
5         14.730    7.04
6        -31.538    0.62   1.71300    53.9
7        121.920    0.06
8         42.345    2.53   1.95906    17.5
9       -193.584  (可変)
10          ∞      -0.10
11*        19.745    3.32   1.76802    49.2
12*      -314.415    0.10
13         11.193    2.69   1.48749    70.2
14         25.293    0.55   2.00069    25.5
15         13.110    4.96
16(絞り)    ∞     (可変)
17*        21.189    1.61   1.69350    53.2
18*        67.777    1.08
19        -26.514    0.65   1.77299    24.8
20         78.152    4.50   1.50190    68.5
21        -18.190  (可変)
22       -895.300    2.50   1.87471    18.9
23        -52.314    1.82
24*       -12.434    0.70   1.85135    40.1
25*       -20.046  (可変)
26          ∞       1.00   1.51633    64.1
27          ∞       6.82
像面        ∞
非球面データ
第11面
K = 6.45059e-001  A 4=-1.56968e-005  A 6= 2.42033e-008
第12面
K = 0.00000e+000  A 4= 3.71787e-006  A 6= 7.01201e-008
第17面
K = 0.00000e+000  A 4=-1.11386e-005  A 6= 3.79824e-007  A 8= 2.41366e-009
第18面
K = 0.00000e+000  A 4= 5.86535e-005  A 6= 7.68295e-007  A 8= 1.04881e-008
第24面
K = 0.00000e+000  A 4=-1.22163e-005  A 6= 3.95740e-006  A 8=-2.73442e-008
第25面
K = 0.00000e+000  A 4=-3.23890e-005  A 6= 2.96566e-006  A 8=-2.20507e-008
各種データ
ズーム比      4.86
広角     中間     望遠
焦点距離      12.89    22.96    62.65
Fナンバー      2.80     3.50     4.02
半画角        35.42    24.49    10.18
像高           9.17    10.46    11.25
レンズ全長    88.82    86.23    99.18
BF            11.68    17.64    24.63
d 3            0.97     6.61    20.93
d 9           30.34    15.36     0.36
d16            1.66     1.64     1.31
d21            2.07     2.89     9.85
d25            4.20    10.16    17.15
ズームレンズ群データ
群  始面    焦点距離
1    1      69.28
2    4     -16.03
3   11      25.04
4   17      53.28
5   22    -114.86
【００５７】
［数値実施例５］
単位 mm
面データ
面番号       r        d      nd         νd
1         38.064    1.10   1.92286    18.9
2         29.007    5.54   1.77250    49.6
3        302.701  (可変)
4       2065.777    0.75   1.91082    35.3
5         12.734    6.03
6        -29.048    0.62   1.71300    53.9
7         61.331    0.06
8         37.169    2.16   1.95906    17.5
9       -193.107  (可変)
10          ∞      -0.10
11*        19.443    3.38   1.76802    49.2
12*       -92.597    0.10
13         12.045    3.15   1.48749    70.2
14         21.258    0.55   2.00069    25.5
15         11.484    4.29
16(絞り)    ∞     (可変)
17*        21.182    1.93   1.69350    53.2
18*      1853.191    0.81
19        -30.616    0.65   1.80518    25.4
20        160.165    3.05   1.48749    70.2
21        -15.148  (可変)
22         66.752    1.41   1.83400    37.2
23        192.302    1.76
24*       -14.629    0.70   1.85135    40.1
25*       -99.212  (可変)
26         37.770    3.67   1.91082    35.3
27       -280.579  (可変)
28          ∞       1.03   1.51633    64.1
29          ∞       3.66
像面        ∞
非球面データ
第11面
K =-7.80525e-002  A 4=-1.88569e-005  A 6= 2.09651e-008
第12面
K = 0.00000e+000  A 4= 7.95782e-007  A 6= 4.55832e-008
第17面
K = 0.00000e+000  A 4= 1.85119e-005  A 6= 5.10787e-007  A 8= 8.31057e-009
第18面
K = 0.00000e+000  A 4= 5.86535e-005  A 6= 7.68295e-007  A 8= 1.04881e-008
第24面
K = 0.00000e+000  A 4= 3.65015e-005  A 6= 1.92219e-006  A 8=-2.21730e-008
第25面
K = 0.00000e+000  A 4= 3.66014e-005  A 6= 1.05756e-006  A 8=-1.38498e-008
各種データ
ズーム比      4.72
広角     中間     望遠
焦点距離      12.84    22.86    60.62
Fナンバー      2.06     3.50     4.02
半画角        35.53    24.59    10.51
像高           9.17    10.46    11.25
レンズ全長    81.68    82.43    97.16
BF             7.40    12.76    12.76
d 3            0.96     6.59    18.45
d 9           23.06    11.02     0.43
d16            2.25     2.34     1.34
d21            1.67     3.29     9.82
d25            4.37     4.44    12.37
d27            3.06     8.42     8.43
ズームレンズ群データ
群  始面    焦点距離
1    1      59.63
2    4     -12.93
3   11      24.90
4   17      28.12
5   22     -24.96
6   26      36.75
【００５８】
【表１】
2015145913.tif 000003
【００５９】
次に各実施例に示したようなズームレンズを撮影光学系として用いたデジタルスチルカメラの実施形態について、図１１を用いて説明する。
【００６０】
図１１において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００６１】
このように本発明のズームレンズをデジタルスチルカメラ等の撮像装置に適用することにより、小型かつ大口径で、全ズーム領域において高い光学性能を有する撮像装置を得ることができる。
【符号の説明】
【００６２】
Ｂ１  第１レンズ群
Ｂ２  第２レンズ群
Ｂ３  第３レンズ群
Ｂ４  第４レンズ群
Ｂ５  第５レンズ群
Ｂ６  第６レンズ群
ＳＰ  開口絞り
ＧＢ  光学フィルター
ＩＰ  像面
ｄ  ｄ線
ｇ  ｇ線
ΔＳ  サジタル像面
ΔＭ  メリディオナル像面
ω  撮像半画角
Ｆｎｏ  Ｆナンバー
【図１】
2015145913.tif 000004
【図２】
2015145913.tif 000005
【図３】
2015145913.tif 000006
【図４】
2015145913.tif 000007
【図５】
2015145913.tif 000008
【図６】
2015145913.tif 000009
【図７】
2015145913.tif 000010
【図８】
2015145913.tif 000011
【図９】
2015145913.tif 000012
【図１０】
2015145913.tif 000013
【図１１】
2015145913.tif 000014